(57)【要約】【課題】各種フィルタによる空気浄化機能を長期の継続使用において維持すること、各種フィルタの清掃や交換などのメンテナンス周期を長くすること、各種フィルタに付着堆積する汚染物質からの腐敗臭やカビ菌の発生を抑えること、汚染物質を洗い落とすなどの清掃性を容易にすること、などにある。【解決手段】汚染空気Ｇ中に含まれている臭気成分を、内部流路１に配置されている脱臭フィルタ２により分離除去して清浄化したのちに室内に戻す構成であって、内部流路１に送り込むオゾンを発生するオゾン発生部９ａを備え、脱臭フィルタ２よりも下流側において内部流路１を開閉する開閉装置１０を備えて、オゾン発生部９ａから内部流路１にオゾンが送り出されているとき、開閉装置１０を閉状態にする。【選択図】図２
2012037210.tif 000002
【特許請求の範囲】
【請求項１】
調理中に発生する汚染空気を吸い込み捕集し、当該汚染空気中に含まれている汚染物質を、内部流路に配置されている各種フィルタにより分離除去して清浄化したのちに室内に戻す構成の室内循環式レンジフードであって、
前記内部流路に送り込む活性酸素を発生する活性酸素発生部を備え、かつ、少なくとも前記各種フィルタよりも下流側において前記内部流路を開閉する開閉装置を備えて、前記活性酸素発生部から前記内部流路に前記活性酸素が送り込まれているとき、前記開閉装置を閉状態にすることを特徴とする室内循環式レンジフード。
【請求項２】
前記内部流路は、前記汚染空気を吸い込み捕集する吸込み口から室内に戻す室内吹出し口に至るように形成されて前記各種フィルタが配置される室内循環流路と、
前記室内循環流路における前記各種フィルタの上流側と下流側とを連通するように形成される内部循環流路と、から構成され、
前記内部循環流路に流路開閉装置を備えて、前記活性酸素発生部から前記室内循環流路に前記活性酸素が送り込まれているとき、前記流路開閉装置を開状態にすることを特徴とする請求項１に記載の室内循環式レンジフード。
【請求項３】
前記活性酸素発生部から前記室内循環流路に前記活性酸素を送り込むとき、前記流路開閉装置が開状態として、前記吸込み口に吸引力を発生させる送風機を運転させて、前記室内循環流路と前記内部循環流路において前記活性酸素を強制循環させるように構成されていることを特徴とする請求項２に記載の室内循環式レンジフード。
【請求項４】
請求項２または請求項３に記載の室内循環式レンジフードにおいて、前記活性酸素の流路充満運転モードと流路循環運転モードとの二つの運転モードを備え、
前記流路充満運転モードは、前記活性酸素発生部から前記室内循環流路に前記活性酸素が送り込まれ、かつ、前記流路開閉装置を開状態として、前記室内循環流路または連通状態にある前記室内循環流路と前記内部循環流路との双方において前記活性酸素を停滞させた状態にて満たすように構成され、
前記流路循環運転モードは、前記活性酸素発生部から前記室内循環流路に前記活性酸素が送り込まれ、かつ、前記流路開閉装置を開状態として、前記吸込み口に吸引力を発生させる送風機を運転させて、前記活性酸素を、連通状態にある前記室内循環流路と前記内部循環流路において強制循環させるように構成されていることを特徴とする室内循環式レンジフード。
【請求項５】
前記活性酸素発生部から前記活性酸素が発生した時点または当該発生が停止した時点で、時間の累積を開始するタイマ装置と、
前記タイマ装置による累積時間が、設定時間に達するか、それを越えるまで、前記汚染空気を吸い込み捕集する吸込み口に吸引力を発生させる送風機の通常室内循環運転を受け付けない運転制御装置と、を備えていることを特徴とする請求項１〜４の何れかに記載の室内循環式レンジフード。
【請求項６】
前記活性酸素発生部から前記内部流路に送り込まれた前記活性酸素の濃度値を検出する濃度検出センサと、
前記濃度検出センサにより検出された検出濃度値が、設定濃度値以下になるまで、吸込み口に吸引力を発生させる送風機の通常室内循環運転を受け付けない運転制御装置と、を備えていることを特徴とする請求項１〜５の何れかに記載の室内循環式レンジフード。
【請求項７】
前記活性酸素発生部から前記活性酸素を発生させる時刻を設定するタイマ装置を備え、
前記タイマ装置による設定時刻になったときに、前記活性酸素発生部から前記活性酸素の発生が自動で行われるように構成されていることを特徴とする請求項１〜６の何れかに記載の室内循環式レンジフード。
【発明の詳細な説明】
【技術分野】
【０００１】
本発明は、廃ガスを発生しない電化調理器による調理中の汚染空気を吸い込み捕集し、汚染空気中に含まれている汚染物質を各種フィルタにより分離除去して清浄化した後に、クリーンな空気として室内に戻すように構成されている室内循環式レンジフードに関する。
【背景技術】
【０００２】
ガス調理器による調理中では、廃ガス（燃焼ガス）が発生する。そのために、ガス調理器の周辺には廃ガスを吸引捕集して屋外へと排気するための換気扇やレンジフードが設置されている。これは、廃ガスなどの汚染空気中に含まれている油脂分、臭気成分（調理臭）、水分（水蒸気）、煙などの汚染物質によって室内環境が汚染されることを防ぐことと、主にガス調理器の使用によって発生する有害物質、特に、二酸化炭素や一酸化炭素などの室内における炭素濃度が上昇しないようにするために行われている。
【０００３】
そして、近年では、二酸化炭素や一酸化炭素などの有害物質を含む廃ガスが発生するガス調理器に代わり、廃ガスを発生させずに調理することができる電気コンロや電磁誘導加熱調理器（ＩＨクッキングヒータ）などの電化調理器を採用する家庭が多くなってきている。
廃ガスを発生しない電化調理器を使用しての調理では、発生する汚染空気中に二酸化炭素や一酸化炭素などの有害物質が含まれていないために、汚染空気を清浄化することができるのであれば、室内に循環（還流）させることができる。そして、汚染空気を清浄化させて室内に戻す室内循環方式を採用することで、例えば、室内空気圧の変化、室内環境の汚染、そして暖房や冷房などの空調エネルギーのロスを引き起こす問題を解消することができる。
【０００４】
そこで、本出願人が特許文献１や特許文献２などにおいて先に提案している汚染物質を汚染空気中から分離除去して清浄化されたクリーンな空気として室内に戻すための空気浄化機能を備えた室内循環式レンジフードが知られている。
特許文献１や特許文献２に開示されている空気浄化機能を備えた室内循環式レンジフードは、汚染空気を吸い込み捕集するフード部の捕集空間に配置したグリスフィルタにより油脂分を分離除去し、捕集空間から室内に連通する循環路に配置した脱臭フィルタ（脱臭材）により臭気成分を分離除去するなどによって清浄化させたクリーンな空気として汚染空気を室内に戻すことができる。これにより、調理中における室内空気圧の変化、室内環境の汚染、空調エネルギーのロスを引き起こす問題を解消することができる有効な室内循環式レンジフードと言える。
【先行技術文献】
【特許文献】
【０００５】
【特許文献１】特開２００５−６９５３５号公報（段落番号００２２〜００２４、および図１参照）
【特許文献２】特開２００５−３０５２６８号公報（段落番号００１８、および図１参照）
【発明の概要】
【発明が解決しようとする課題】
【０００６】
ところで、汚染空気中に含まれている臭気成分、油脂分、水分などの汚染物質は、グリスフィルタ、脱臭フィルタ、除湿フィルタなどの各種フィルタを通して分離除去、例えば、衝突作用や吸着作用などによってフィルタ面などに付着されることで、汚染空気から分離除去されるものである。
したがって、グリスフィルタ、脱臭フィルタ、除湿フィルタなどの各種フィルタは、継続使用に伴ってフィルタ面などに徐々に堆積される汚染物質によって目詰まりを起こし、各種フィルタの空気浄化機能が低下し、やがて能力の限界に達して汚染空気を清浄化することができなくなるために、定期的に各種フィルタを取り外して清掃、或いは新規のフィルタと交換するなどのメンテナンスが必要となる。特に、吸着作用によって汚染空気中から臭気成分を分離除去する脱臭フィルタの場合では、大量に発生する臭気成分の付着によって目詰まりを起こし易く、さらには付着した臭気成分の臭気がレンジフードの通常室内循環時などにおいて室内に流出されるおそれがあるために、頻繁にメンテナンスを行う必要がある。
【０００７】
また、臭気成分、油脂分、水分などの汚染物質を洗い落とすなどの清掃、或いは新規のフィルタと交換することなくそのまま長期放置しておくと、フィルタ面などに付着堆積している汚染物質に微生物が繁殖して腐敗臭やカビ菌などが発生する可能性がある。腐敗臭やカビ菌が発生すると、調理中のレンジフードの運転時に室内に戻される汚染空気とともに腐敗臭やカビ菌が室内に放出されることとなり、室内環境に悪影響を与えるおそれがある。
【０００８】
しかしながら、各種フィルタを取り外して汚染物質を洗い落とすなどの清掃、或いは新規のフィルタと交換するなどのメンテナンスは大変面倒で手間が掛かり、また、費用が掛かるなどから、実際には半年に１回、年に一度行う大掃除のときなどに、清掃、或いは新規のものに交換しているのが実情である。
そのために、目詰まりの状態での継続使用、そして腐敗臭やカビ菌が発生している可能性がある状態で継続使用されているのが実情である。つまり、従来技術の室内循環式レンジフードでは使用者に対するメンテナンスなどの使用上の負担軽減を図ることが課題として残されていた。
【０００９】
そこで、本発明は、このような従来事情に対処するために創案されたものである。すなわち、各種フィルタによる空気浄化機能を長期の継続使用において維持すること、付着堆積する汚染物質からの腐敗臭やカビ菌の発生を抑えること、各種フィルタの清掃や交換などのメンテナンス周期を長くすること、付着堆積している汚染物質を洗い落とすなどの清掃性を容易にすること、などを本発明の目的とする。
【課題を解決するための手段】
【００１０】
本発明者は、長年にわたり鋭意研究し各種の実験を重ねた結果、前記課題を解決することができることを見出し、本発明に至ったものである。
すなわち、本発明は、電化調理器による調理中に発生する汚染空気を吸い込み捕集し、当該汚染空気中に含まれている汚染物質を、内部流路に配置されている各種フィルタにより分離除去して清浄化したのちに、室内に戻す構成の室内循環式レンジフードであって、
前記内部流路に送り込む活性酸素を発生する活性酸素発生部を備え、かつ、少なくとも前記各種フィルタよりも下流側に前記内部流路を開閉する開閉装置を備えて、前記活性酸素発生部から前記内部流路に活性酸素が送り出されているとき、前記開閉装置を閉状態にすることを特徴とする。
ここで、前記各種フィルタとしては、グリスフィルタ、脱臭フィルタ、除湿フィルタ、煙除去フィルタなどを挙げることができる。
また、前記活性酸素としては、腐敗臭やカビ菌などの有機物を強い酸化力によって酸化分解して脱臭、殺菌する脱臭・殺菌作用を有するオゾン、スーパーオキサイドイオン、ＯＨラジカルなどを挙げることができる。
【００１１】
このような構成によれば、汚染空気中から汚染物質を分離除去する各種フィルタが備えられている内部流路の下流側、所謂室内吹出し口側を開閉装置により閉じた状態で、活性酸素を内部流路に送り込むことができる。
これにより、活性酸素を室内に流出させることなく、各種フィルタに付着堆積している汚染物質を活性酸素の強い酸化力で酸化分解することができる。例えば、脱臭フィルタに付着堆積している臭気成分が、オゾンなどからなる活性酸素の強い酸化力で酸化分解（酸化脱臭）され、ガスとなって蒸発することとなる。しかも、活性酸素の強い酸化力で腐敗臭やカビ菌も酸化分解（脱臭・殺菌処理）されることで、腐敗臭やカビ菌の発生を抑えることができる。
【００１２】
また、本発明では、前記内部流路が、前記汚染空気を吸い込み捕集する吸込み口から室内に戻す室内吹出し口に至るように形成されて前記各種フィルタが配置される室内循環流路と、この室内循環流路における前記各種フィルタの上流側と下流側とを連通するように形成される内部循環流路とから構成され、前記内部循環流路に流路開閉装置を備えて、前記活性酸素発生部から前記室内循環流路に前記活性酸素が送り込まれているとき、前記流路開閉装置を開状態にすることを特徴とする。
この場合、前記活性酸素発生部から前記室内循環流路に前記活性酸素が送り込まれ、かつ、前記流路開閉装置が開状態にあるときに、前記吸込み口に吸引力を発生させる送風機を運転させて、前記室内循環流路と前記内部循環流路において前記活性酸素を強制循環させるように構成されていることが好ましい。
【００１３】
このような構成によれば、流路開閉装置を開いた状態で、なおかつ、送風機を運転させることで、室内循環流路に送り込まれる活性酸素を、室内循環流路と内部循環流路において強制循環させることができる。
これにより、活性酸素を、室内循環流路および各種フィルタに万遍に、かつ、効率よく接触させながら、各種フィルタに付着堆積している汚染物質および腐敗臭やカビ菌を酸化分解することができる。また、これに平行して送風機内の脱臭・殺菌が行われる。
【００１４】
また、本発明では、前記活性酸素の流路充満運転モードと流路循環運転モードとの二つの運転モードを備え、前記流路充満運転モードは、前記活性酸素発生部から前記室内循環流路に前記活性酸素が送り込まれ、かつ、前記流路開閉装置を開状態として、前記室内循環流路または連通状態にある前記室内循環流路と前記内部循環流路との双方において前記活性酸素を停滞させた状態にて満たすように構成され、前記流路循環運転モードは、前記活性酸素発生部から前記室内循環流路に前記活性酸素が送り込まれ、かつ、前記流路開閉装置を開状態として、前記フード部の前記吸込み口に吸引力を発生させる送風機を運転させて、前記活性酸素を、連通状態にある前記室内循環流路と前記内部循環流路において強制循環させるように構成されていることを特徴とする。
【００１５】
このような構成によれば、各種フィルタに付着堆積している汚染物質を活性酸素の強い酸化力で酸化分解するとともに腐敗臭やカビ菌の発生を抑える各種フィルタの脱臭・殺菌運転を、流路充満運転モードと流路循環運転モードとの二つの運転モードから選択的に行うことができる。
例えば、運転時間を長く設定することができる深夜などにおいては、送風機を運転させずに脱臭・殺菌を行うことができる流路充満運転モード、つまり、騒音を発生せずに脱臭・殺菌を行うことができる流路充満運転モードを選択し、昼間の外出中など不在のときに時間を掛けずに短時間で効率的に脱臭・殺菌を行う場合には、送風機を運転させての流路循環運転モードを選択することができる。
【００１６】
また、本発明では、前記活性酸素発生部から前記活性酸素が発生した時点または当該発生が停止した時点で、時間の累積を開始するタイマ装置と、このタイマ装置による累積時間が、設定時間に達するか、それを越えるまで、前記汚染空気を吸い込み捕集するフード部の吸込み口に吸引力を発生させる送風機の通常室内循環運転を受け付けない運転制御装置とを備えていること、また、前記活性酸素発生部から前記内部流路に送り込まれた前記活性酸素の濃度値を検出する濃度検出センサと、この濃度検出センサにより検出された検出濃度値が、設定濃度値以下になるまで、送風機の通常室内循環運転を受け付けない運転制御装置と、を備えていること、さらに、前記活性酸素発生部から前記活性酸素の発生時刻を設定するタイマ装置を備え、前記タイマ装置が設定時刻になったときに、前記活性酸素発生部から前記活性酸素の発生が自動で行われるように構成されていること、などを特徴とする。
【００１７】
このような構成によれば、レンジフードの通常室内循環運転の開始によって活性酸素が室内に放出され、室内環境に影響を与えることを未然に防ぐことができる。つまり、活性酸素の濃度が高い状態で室内に放出されることを未然に防ぐことができる。
そして、タイマ装置による累積時間が、設定時間に達するか、それを越えることで、または、濃度検出センサによる検出濃度値が、設定濃度値以下になることで、室内環境に影響を与えることがない濃度値（例えば、オゾンの場合、産業環境基準（日本産業衛生学会）の許容濃度０．１ｐｐｍ）にて活性酸素を室内に放出させることができる。つまり、内部流路（室内循環流路、内部循環流路）内の活性酸素は、空気との酸化によって時間の経過とともに濃度値が次第に自然減衰されて行く。
【００１８】
また、各種フィルタに付着堆積している汚染物質を活性酸素の強い酸化力で酸化分解するとともに腐敗臭やカビ菌の発生を抑える各種フィルタの脱臭・殺菌運転時刻を、タイマ装置により選択的に設定することができる。例えば、使用者の生活スタイルなどに合わせて脱臭・殺菌運転時刻を選択的に設定することができる。
【発明の効果】
【００１９】
本発明の室内循環式レンジフードによれば、下流側が開閉装置によって閉じられた状態で内部流路に送り込まれる活性酸素の強い酸化力による酸化分解によって、各種フィルタに付着堆積している汚染物質を軽減し、しかも、脱臭・殺菌作用によって腐敗臭やカビ菌の発生を抑えることができる。
これにより、各種フィルタの空気浄化機能を長期の継続使用において維持することができる。つまり、活性酸素による酸化分解によって汚染物質の付着堆積が軽減することで各種フィルタの空気浄化機能が再生され、長期使用において空気浄化機能を維持することが可能になるとともに、各種フィルタの清掃や交換などのメンテナンス周期を長くすることができる。
また、汚染物質が各種フィルタにこびり付くように付着堆積することがなくなることで、汚染物質を洗い落とすなどの清掃性を格段に向上させることができる。また、腐敗臭やカビ菌の発生による室内環境への影響を防ぐことができる。
【００２０】
また、送風機を運転させての活性酸素の強制循環によって、各種フィルタに付着堆積している汚染物質の軽減及びび腐敗臭やカビ菌の脱臭・殺菌を効率的に、かつ、短時間で行うことができる。
また、脱臭・殺菌運転を使用者の生活スタイルなどに合わせて自由に選択することができ、しかも、運転開始をタイマ装置による設定時刻によって自動で行うことができる。
【００２１】
このように本発明によれば、従来技術で課題とされていた使用者に対するメンテナンスなどの使用上の負担軽減を図った室内循環式レンジフードを提供することができる。
【図面の簡単な説明】
【００２２】
【図１】第１の実施形態に係る室内循環式レンジフードを示す縦断側面図である。
【図２】同レンジフードにおいて、活性酸素による脱臭・殺菌運転状態を示す同縦断面図である。
【図３】オゾン発生部からのオゾン発生に伴う送風機の通常室内循環運転を制御する概略構成を示すブロック図である。
【図４】オゾン発生部からのオゾン発生に伴う送風機の通常室内循環運転を制御する他の実施形態の概略構成を示すブロック図である。
【図５】オゾン発生部からオゾンの発生時刻を制御する概略構成を示すブロック図である。
【図６】第２の実施形態に係る室内循環式レンジフードを示す縦断側面図である。
【図７】同レンジフードにおいて、活性酸素による脱臭・殺菌運転状態を示す同縦断面図である。
【図８】第３の実施形態に係る本発明のレンジフードを示す縦断側面図である。
【図９】同レンジフードにおいて、活性酸素による脱臭・殺菌運転状態を示す同縦断面図である。
【発明を実施するための形態】
【００２３】
以下、本発明の実施形態について、適宜図面を参照しながら詳細に説明する。
なお、本実施形態では、図示省略の電磁誘導加熱調理器（ＩＨクッキングヒータ）などの電化調理器の略真上に位置してキッチン壁に取り付け設置される壁取り付けタイプの室内循環式レンジフード（以後、単に「レンジフード」と称する）を一例に挙げて説明するが、これに限定されるものではない。
【００２４】
［第１の実施形態の説明］
図１は、第１の実施形態に係るレンジフードの通常室内循環運転状態を示す縦断側面図であり、図２は、活性酸素による脱臭・殺菌運転状態を示す同縦断面図である。
レンジフードＡは、調理中に電化調理器や調理鍋などから発生する汚染空気Ｇを吸い込み捕集し、汚染空気Ｇ中に含まれている油脂分、臭気成分、水分などの汚染物質、特に、臭気成分を、内部流路１に配置されている脱臭フィルタ２により分離除去して汚染空気Ｇを、清浄化したクリーンな空気として室内に戻すように構成されている。
【００２５】
≪レンジフードの説明≫
レンジフードＡは、図１に示すように、薄型のフード部Ａ１と、このフード部Ａ１の天板ａ上に設置される送風機Ａ２とを備え、さらに、送風機Ａ２とともに脱臭フィルタ２を内設する縦型筒状のダクトカバーＡ３をフード部Ａ１の天板ａ上に立設させた構成を成している。
【００２６】
≪フード部の説明≫
フード部Ａ１は、図１に示すように、下向きに開口する扁平箱型に形成されて、天板ａに連絡口３を備えている。
この連絡口３は、フード部Ａ１の吸引口となる捕集空間Ｍと送風機Ａ２の後記する送風ボックス６内とを連絡するものであり、天板ａの後半部側（フード部Ａ１のキッチン壁Ｋ１への取付け側）寄りの幅方向略中央部位において開口されている。
【００２７】
また、フード部Ａ１は、連絡口３の下流側に位置する捕集空間Ｍの膨出底部にグリスフィルタ４を取り外し可能に備えている。これにより、捕集空間Ｍに吸い込み捕集された汚染空気Ｇがグリスフィルタ４を通過するときに、汚染空気Ｇ中に含まれている油脂分がグリスフィルタ４に衝突や接触によって付着することで、油脂分が汚染空気Ｇから分離除去されるようになっている。
【００２８】
また、フード部Ａ１は、図１に示すように、調理者側（紙面左側）に位置する前面部ｂに運転操作部５を備えている。
この運転操作部５は、送風機Ａ２の後記する送風装置７の運転ＯＮ／ＯＦＦ、そして、図示省略の照明の点灯ＯＮ／ＯＦＦ操作を行うためのタッチまたはプッシュタイプのスイッチ類を備えて構成されている。
また、この運転操作部５は、後記するオゾン発生部９ａの脱臭・殺菌運転ＯＮ／ＯＦＦを、手動操作により行う場合のスイッチ類などが備えられるように形成されている。
【００２９】
≪送風機の説明≫
送風機Ａ２は、周知の構造を呈している。
すなわち、図１に示すように、送風ボックス６と、この送風ボックス６内におけるフード部Ａ１の連絡口３に連通する前半部側を除く後半部側に位置して縦置きに内設される送風装置７とを備えて構成されている。
【００３０】
送風ボックス６は、内部流路１が捕集空間Ｍに連通するための内部流路１の上流側延長流路となる。つまり、捕集空間Ｍに吸い込み捕集された汚染空気Ｇが、連絡口３から送風ボックス６内を経由して脱臭フィルタ２が配置されている内部流路１に流れ込むようになっている。
この送風ボックス６は、図１に示すように、縦断面視で略四角形状に形成されて、フード部Ａ１の連絡口３に、前半部を連通させた状態で天板ａの上にネジ止めなどによって取り付けられる。
【００３１】
送風装置７は、図１に示すように、内部流路１に連通するように送風ボックス６の上面板ｃに取り付けられる連通口（接続筒）７ｄを有するファンケーシング７ａ内に、ファンモータ７ｂに軸支させて同軸状に送風ファン（遠心ファン、多翼ファン）７ｃを収容させた構成である。
【００３２】
≪ダクトカバーの説明≫
ダクトカバーＡ３は、送風機Ａ２の送風ボックス６からキッチン天井Ｋ２の近傍に至る高さにて室内循環用の内部流路１を形成するものである。
このダクトカバーＡ３は、図１に示すように、送風機Ａ２の送風ボックス６の平面視形状にてフード部Ａ１の天板ａからキッチン天井Ｋ２の近傍に至る程度の高さを有する上面閉鎖で下面が開口された縦型筒状の箱体であり、下半部側に送風ボックス６が嵌め合せ収容され、この送風ボックス６から上半部側（下流側）に脱臭フィルタ２が配置される内部流路１を形成するようになっている。
そして、ダクトカバーＡ３は、内部流路１の下流側となる上面閉鎖側におけるキッチン側（図１紙面左側）に面する一側面に室内吹出し口８を備えている。
【００３３】
そして、本実施形態では、このように構成されている薄型タイプのレンジフードＡの内部流路１における脱臭フィルタ２の上流側に活性酸素発生部９を備え、さらに、脱臭フィルタ２よりも下流側の室内吹出し口８とその上流側のファンケーシング７ａの連通口７ｄには開閉装置１０，１１をそれぞれ備えている。
これにより、電化調理器を使わない非調理時において、図２に示すように、室内吹出し口８および連通口７ｄを開閉装置１０、１１によってそれぞれ閉じた状態で、活性酸素発生部９から内部流路１に活性酸素を送り込むことで、脱臭フィルタ２に付着堆積されている臭気成分を軽減すると同時に、長期放置による微生物の繁殖によって発生するおそれがある腐敗臭やカビ菌などを脱臭・殺菌処理するための活性酸素による脱臭・殺菌機能を備えている。
【００３４】
≪活性酸素発生部の説明≫
活性酸素発生部９は、活性酸素、例えば、オゾンを発生するオゾン発生部９ａを一例に挙げて説明すると、このオゾン発生部９ａは、具体的な図面は省略しているが、所定の距離（空間）をおいて対向状に配される電極間に高周波高電圧を印加することで、空間ギャップ内で無声放電が発生し、酸素または空気の一部がオゾン化される。
このように構成されているオゾン発生部９ａは、図１に示すように、脱臭フィルタ２の上流側に位置する送風ボックス６の上面板ｃの上に配置されてオゾンを発生し、内部流路１に送り込むようになっている。
【００３５】
なお、図示を省略しているが、オゾン発生部９ａの運転ＯＮ／ＯＦＦは、フード部Ａ１の運転操作部５に備えられる図示省略の脱臭・殺菌運転スイッチによる手動操作によって行われるようにしている。
【００３６】
≪開閉装置の説明≫
開閉装置１０，１１は、オゾン発生部９ａが運転を開始して発生したオゾンが内部流路１に送り込まれるとき、図２に示すように、室内吹出し口８、連通口７ｄを閉じ、そして、オゾン発生部９ａの運転が停止したとき、或いは、オゾン発生部９ａの運転停止から一定の時間が経過したときに、図１に示すように、室内吹出し口８、連通口７ｄを開くように、オゾン発生部９ａの運転ＯＮ／ＯＦＦ操作に連動させて室内吹出し口８、連通口７ｄを開閉するものである。
この開閉装置１０，１１は、図１に示すように、室内吹出し口８の内側（内部流路１内）において回転するように取り付けられる回転式シャッター１０ａ，１１ａと、図示省略の正逆回転可能なシャッターモータ（例えば、ステッピングモータ、ＡＣサーボモータ、ＤＣサーボモータなどの各種のサーボモータ）をそれぞれ備えて構成されている。
【００３７】
シャッターモータは、フード部Ａ１の運転操作部５に備えられる図示省略の脱臭・殺菌運転スイッチによる手動操作によって駆動するようになっている。
つまり、シャッターモータは、脱臭・殺菌運転スイッチのＯＮ操作によって正転方向に駆動し、室内吹出し口８、連通口７ｄをそれぞれ閉じる方向に回転シャッター１０ａ，１１ａを回転させ、ＯＦＦ操作によって逆転方向に駆動し、室内吹出し口８、連通口７ｄを開く方向に回転シャッター１０ａ，１１ａを回転させるようになっている。
【００３８】
なお、図示を省略しているが、回転シャッター１０ａ，１１ａの回転開閉動作を、リンク機構などを用いたアクチュエータによって行うことができる。
【００３９】
［作用説明］
このように構成されている第１の実施形態に係るレンジフードＡによれば、運転操作部５に備えられている脱臭・殺菌運転スイッチによる手動操作によって、脱臭・殺菌運転が開始すると、図２に示すように、オゾン発生部９ａからオゾンが発生するとともに、室内吹出し口８と連通口７ｄは開閉装置１０，１１により閉じられる。
オゾン発生部９ａから発生したオゾンは、室内吹出し口８と連通口７ｄが閉じられることで、完全に閉鎖（外部との連通が遮断）された内部空間１に送り込まれる。これにより、オゾンによって満たされた内部空間１において脱臭フィルタ２に付着堆積している臭気成分の脱臭・殺菌処理が行われる。
【００４０】
図３は、オゾン発生部からのオゾンの発生に伴う送風機の通常室内循環運転を制御する概略構成を示すブロック図である。
また、本実施形態では、オゾン発生部９ａからオゾン発生した時点、または、オゾン発生が停止した時点で動作を開始し、時間の累積を開始するタイマ装置１２と、このタイマ装置１２による累積時間が、設定時間に達するか、それを越えるまで、送風機Ａ２の運転による通常室内循環運転を受け付けない運転制御装置１３とを備えている。
ここで、通常室内循環運転とは、電化調理器による調理中に、電化調理器や調理鍋などから発生する汚染空気Ｇを送風機Ａ２の吸引力（運転）によってフード部Ａ１の捕集空間Ｍで吸い込み捕集し、グリスフィルタ４、脱臭フィルタ２を通過させて清浄化されたクリーンな空気として室内（キッチンＫ）に戻すレンジフードＡ本来の室内循環運転状態を言う。
【００４１】
≪タイマ装置の説明≫
タイマ装置１２は、オゾン発生部９ａからオゾンが発生した時点、または、オゾン発生が停止した時点で、本実施形態では、オゾン発生が停止（オゾン発生部９ａの運転が停止）した時点で、時間の累積（カウント）を開始するように設定されている。
そして、タイマ装置１２は、運転制御装置１３からの動作停止信号が入力されてこない限り時間の累積を続け、この累積時間を運転制御装置１３に内蔵されている判定手段１４に累積時間を出力するように構成されている。
【００４２】
また、タイマ装置１２は、判定手段１４により累積時間が設定時間に達するか、それを越えたと判定された時点で、累積時間がリセット（初期化）されて停止するように設定されている。これにより、タイマ装置１２は、オゾン発生部９ａからオゾンの発生が停止した時点で、０から新たに時間の累積を開始することになる。
【００４３】
≪運転制御装置の説明≫
運転制御装置１３は、タイマ装置１２から設定時間未満の累積時間が入力されてくる間、運転操作部５からの送風機Ａ２の通常室内循環運転開始信号を遮断（拒否）し、送風機Ａ２の運転を受け付けない。そして、タイマ装置１２から設定時間に達するか、それを越えた累積時間が入力されてきた時点で、運転操作部５からの送風機Ａ２の運転開始信号を受け付けて送風機Ａ２を運転させるように構成されている。
つまり、運転操作部５に備えられている送風機Ａ２（送風装置７）の運転ＯＮ／ＯＦＦスイッチは、運転制御装置１３を経由してファンモータ７ｂに繋がっている。
これにより、タイマ装置１２から判定手段１４に出力されてくる累積時間が設定時間に達するか、それを越えたか否かが判定手段１４によって比較され、累積時間が設定時間に達したまたはそれを越えたと判定されない限り、運転制御装置１３からファンモータ７ｂに通常室内循環運転開始指示が出力（通電）されず、送風機Ａ２はレンジフードＡ本来の通常室内循環運転のための運転を開始することができないようになっている。
これにより、送風機Ａ２は、運転制御装置１３から通常室内循環運転開始信号が入力されてこない限り、通常室内循環運転のためも運転を開始することができないようになっている。
【００４４】
また、運転制御装置１３は、運転操作部５からの送風機Ａ２の通常室内循環運転開始信号を受け付けてレンジフードＡを通常室内循環運転させると同時に、この通常室内循環の運転開始に連動させて室内吹出し口８、連通口７ｄを開く回転方向に開閉装置１０，１１のシャッターモータをそれぞれ駆動させ、回転シャッター１０ａ，１１ａが室内吹出し口８、連通口７ｄを開くように構成されている。
【００４５】
図４は、オゾン発生部からのオゾン発生に伴う送風機の通常室内循環運転を制御する他の実施形態の概略構成を示すブロック図である。
また、本実施形態は、内部流路１内のオゾンの濃度値を検出する濃度検出センサ１５と、この濃度検出センサ１５により検出された検出濃度値が、設定濃度値以下になるまで、送風機Ａ２の通常室内循環運転を受け付けないように送風機Ａ２の運転を制御する運転制御装置１６とを備えている。
【００４６】
≪濃度検出センサの説明≫
濃度検出センサ１５としては、オゾンが紫外線領域に極大吸収帯を持つ特性を利用した紫外線吸収法によってオゾン濃度を検出、または、オゾンによって半導体の薄幕表面が酸化される際の抵抗変化を利用する半導体センサ法によってオゾン濃度を検出、あるいは、エチレンなどとオゾンが反応する際に生じる発光量を利用する化学発光法によってオゾン濃度を検出するなど、その他のオゾン検出法を利用することができる。
この濃度検出センサ１５は、例えば、内部流路１内に配置されて、内部流路１内のオゾン濃度を、オゾン発生部９ａからのオゾンの発生が停止（オゾン発生部９ａの運転が停止）した時点から検出を開始し、その検出された検出濃度値を運転制御装置１６に内蔵されている判定手段１７に出力するように構成されている。
【００４７】
≪運転制御装置の説明≫
運転制御装置１６は、オゾン発生部９ａからのオゾンの発生が停止した時点で、濃度検出センサ１５から出力されてくるオゾンの検出濃度値が、予め設定されている設定濃度値以下（例えば、オゾンの場合、産業環境基準（日本産業衛生学会）の許容濃度０．１ｐｐｍ）になるまで、運転操作部５からの送風機Ａ２の運転開始信号を遮断（拒否）し、送風機Ａ２の運転を受け付けない。そして、濃度検出センサ１５から設定濃度値以下の検出濃度値が入力されてきた時点で、運転操作部５からの送風機Ａ２の通常室内循環運転開始信号を受け付けて送風機Ａ２を運転させるように構成されている。
つまり、運転操作部５に備えられている送風機Ａ２（送風装置７）の運転ＯＮ／ＯＦＦスイッチは、運転制御装置１６を経由して送風装置７のファンモータ７ｂに繋がっている。
これにより、濃度検出センサ１５から判定手段１７に出力されてくる検出濃度値が設定濃度値以下であるか否かが判定手段１７によって比較され、検出濃度値が設定濃度値以下であると判定されない限り、運転制御装置１６からファンモータ７ｂに通常室内循環運転開始指示が出力（通電）されず、送風機Ａ２はレンジフードＡ本来の通常室内循環運転のための運転を開始することができないようになっている。
【００４８】
また、運転制御装置１６は、運転操作部５からの送風機Ａ２の通常室内循環運転開始信号を受け付けてレンジフードＡを通常室内循環運転させると同時に、この通常室内循環の運転開始に連動させて室内吹出し口８、連通口７ｄを開く回転方向に開閉装置１０，１１のシャッターモータをそれぞれ駆動させ、回転シャッター１０ａ，１１ａが室内吹出し口８、連通口７ｄを開くように構成されている。
【００４９】
図５は、オゾン発生部からオゾンの発生時刻を制御する概略構成を示すブロック図である。
また、本実施形態では、オゾン発生部９ａからオゾンの発生時刻を設定するためのタイマ装置１８を備えている。これにより、タイマ装置１８が設定時刻になったときに、オゾン発生部９ａが運転を開始してオゾンが自動で発生するようにしている。
【００５０】
≪タイマ装置の説明≫
タイマ装置１８は、使用者が手動操作によってオゾン発生時刻（オゾン発生部９ａの運転開始時刻）を設定するアナログまたはデジタル方式の時刻設定操作部１９と、この時刻設定操作部１９によって設定されたオゾン発生時刻を記憶させておく内蔵のメモリ２０とを備えて構成されている。
また、タイマ装置１８は、時刻設定操作部１９によりメモリ２０に記憶させたオゾン発生時刻になったときに、オゾン発生部９ａの運転を開始させてオゾンを発生させると同時に、オゾン発生部９ａの運転開始に連動させて室内吹出し口８、連通口７ｄを閉じる回転方向に開閉装置１０，１１のシャッターモータをそれぞれ駆動させ、回転シャッター１０ａ，１１ａが室内吹出し口８、連通口７ｄを閉じるように構成されている。
【００５１】
このように、オゾン発生部９ａからオゾンの発生を自動で行うためのタイマ装置１８を備えていることで、タイマ装置１８が設定時刻になったときに、オゾン発生部９ａが運転を開始してオゾンを自動で発生させて、内部流路１の脱臭フィルタ２に付着堆積されている臭気成分の脱臭・殺菌処理を行う。
【００５２】
［第２の実施形態の説明］
図６は、第２の実施形態に係る本発明のレンジフードを示す縦断側面図であり、図７は、同レンジフードにおいて、活性酸素による脱臭・殺菌運転状態を示す同縦断面図である。
なお、この第２の実施形態に係るレンジフードＡ−１は、内部流路１を室内循環流路１ａと内部循環流路１ｂとの二つの流路から構成してなる。それ以外の他の構成要素においては前記第１の実施形態詳述の薄型タイプのレンジフードＡと基本的に同じことから同じ符号を付することで重複説明は省略する。
【００５３】
すなわち、内部流路１は、図６に示すように、フード部Ａ１の吸引口となる捕集空間Ｍ、送風機Ａ２の送風ボックス６を介して室内吹出し口８に至るように形成されて脱臭フィルタ２、オゾン発生部９ａが配置される室内循環流路１ａと、この室内循環流路１ａにおける脱臭フィルタ２の上流側と下流側とを連通するように形成される内部循環流路１ｂとの二つの流路から構成されている。
【００５４】
≪室内循環流路の説明≫
室内循環流路１ａは、送風機Ａ２の送風ボックス６の上面板ｃの上に、上面開口の収容ボックス２１を取り付けることで、捕集空間Ｍから室内吹出し口８に至るように形成される。
収容ボックス２１は、図６に示すように、送風ボックス６と略同じ平面視形状にて該送風ボックス６の上面板ｃからダクトカバーＡ３の室内吹出し口８の開口位置高さに至る高さに形成されて、内側に脱臭フィルタ２、オゾン発生部９ａがそれぞれ収容配置されるようになっている。
【００５５】
≪内部循環流路の説明≫
内部循環流路１ｂは、レンジフードＡ−１の脱臭・殺菌運転時に、送風機Ａ２を運転させてオゾンを強制循環させるために、室内循環流路１ａの上流側と下流側とを連通する連絡流路である。
この内部循環流路１ｂは、ダクトカバーＡ３の室内吹出し口８が開口されているキッチン側（図６紙面左側）に面する一側面を、キッチン側に向けて送風ボックス６および収容ボックス２１よりも幅広く形成することで、図６に示すように、送風ボックス６および収容ボックス２１との間において、双方ボックス６，２１の高さ方向に形成される。
【００５６】
そして、図６に示すように、室内吹出し口８に隣接する内部循環流路１ｂの下流側に室内吹出し口８の開閉を兼ねる流路開閉装置２２を備えている。
また、フード部Ａ１の連絡口３に隣接する内部循環流路１ｂの上流側における送風ボックス６に、該送風ボックス６内（室内循環流路１ａの上流側）と連通させる連通口２３を備ええるとともに、この連通口２３に連絡口３の開閉を兼ねる流路開閉装置２４を備えている。
【００５７】
≪流路開閉装置の説明≫
流路開閉装置２２，２４は、前記第１の実施形態詳述の開閉装置１０，１１と基本的に同じく、回転式シャッター２２ａ，２４ａと、図示省略の正逆可能なシャッターモータ（例えば、ステッピングモータ、ＡＣサーボモータ、ＤＣサーボモータなどの各種のサーボモータ）と備えてそれぞれ構成されている。
すなわち、流路開閉装置２２，２４は、オゾン発生部９ａが運転を開始して発生したオゾンが室内循環流路１ａに送り込まれるとき、図７に示すように、室内吹出し口８および連絡口３をそれぞれ閉じ、そして、オゾン発生部９ａの運転が停止したとき、或いは、オゾン発生部９ａの運転停止から一定の時間が経過したときには、図６に示すように、室内吹出し口８および連絡口３をそれぞれ開くように、オゾン発生部９ａの運転ＯＮ／ＯＦＦ操作に連動させて室内吹出し口８および連絡口３をそれぞれ開閉するように構成されている。
これにより、オゾン発生部９ａからオゾンが発生してレンジフードＡ−１の脱臭・殺菌運転が行われるとき、室内循環流路１ａと内部循環流路１ｂからなる内部流路１は、外部と完全に遮断（閉鎖）される。そして、レンジフードＡ−１の通常室内循環運転が行われるときには、室内吹出し口８および連絡口３が開かれて、フード部Ａ１の捕集空間Ｍに吸い込み捕集された汚染空気Ｇを、グリスフィルタ４、脱臭フィルタ２を通過させて清浄化されたクリーンな空気として室内吹出し口８から室内（キッチン）に戻す室内循環が行われる。
【００５８】
また、本実施形態では、流路充満運転モードと流路循環運転モードとの二つの運転モードを備えており、何れかの運転モードを選択してレンジフードＡ−１の脱臭・殺菌運転を行うことができるようにしている。
【００５９】
≪流路充満運転モードおよび流路循環運転モードの説明≫
流路充満運転モードおよび流路循環運転モードは、フード部Ａ１の運転操作部５に備えられる図示省略のモード切替えスイッチによる手動切替え操作によって選択的に行われるようにしている。
流路充満運転モードは、送風機Ａ２を運転させずに、オゾン発生部９ａから発生するオゾンを室内循環流路１ａのみに停滞させた状態で満たすまたは流路開閉装置２２，２４の開状態によって連通状態にある室内循環流路１ａと内部循環流路１ｂとの双方においてオゾンを停滞させた状態で満たして、脱臭フィルタ２に付着堆積している臭気成分の脱臭・殺菌を行うように構成している。
一方、流路循環運転モードは、オゾン発生部９ａの運転に連動させて送風機Ａ２を運転させ、オゾン発生部９ａから発生するオゾンを、室内循環流路１ａと内部循環流路１ｂにおいて強制循環させながら脱臭フィルタ２に付着堆積している臭気成分の脱臭・殺菌を行うように構成している。
【００６０】
このように構成されている流路充満運転モードと流路循環運転モードを備えることで、例えば、運転時間を長く設定することができる深夜などにおいては、送風機Ａ２を運転させず（騒音を発生せずに）脱臭・殺菌を行うことができる流路充満運転モードを選択することができ、そして、昼間の外出中など不在のときに時間を掛けずに短時間で効率的に脱臭・殺菌を行う場合には、送風機Ａ２を運転させての流路循環運転モードを選択することができる。
【００６１】
なお、この第２の実施形態に係るレンジフードＡ−１では説明を省略したが、前記第１の実施形態詳述のレンジフードＡと同様に機能するタイマ装置１２と運転制御装置１３とを備えている。そして、濃度検出センサ１５と運転制御装置１６とを備えている。さらに、タイマ装置１８を備えているものである。
【００６２】
［作用説明］
このように構成されている第２の実施形態に係るレンジフードＡ−１によれば、運転操作部５に備えられているモード切替えスイッチによる手動操作によって、流路充満運転モードまたは流路循環運転モードの何れか一方の運転モードで運転が開始すると、図７に示すように、オゾン発生部９ａからオゾンが発生するとともに、室内吹出し口８と連絡口３は流路開閉装置２２，２４により閉じられる。
このとき、流路充満運転モードで運転が開始した場合、オゾン発生部９ａから発生したオゾンは、オゾン発生部９ａが配置されている室内循環流路１ａ部分から脱臭フィルタ２を通過して下流の室内吹出し口８側から内部循環流路１ｂへと送り込まれ、なおかつ、上流の送風機Ａ２のファンケーシング７ａ（送風装置７）、送風ボックス６内を経由して連通口２３側から内部循環流路１ｂへと送り込まれる。これにより、室内循環流路１ａと内部循環流路１ｂとの双方はオゾンによって満たされる。つまり、停滞状態で満たされたオゾンによって、脱臭フィルタ２に付着堆積している臭気成分の脱臭・殺菌処理が行われる。
【００６３】
一方、流路循環運転モードで運転が開始した場合、オゾン発生部９ａから発生したオゾンは、オゾンの発生に連動して運転を開始する送風機Ａ２のよって、オゾン発生部９ａが配置されている室内循環流路１ａ部分から脱臭フィルタ２を通過して下流の室内吹出し口８側から内部循環流路１ｂへと送り込まれる。
内部循環流路１ｂに送り込まれてきたオゾンは、下流の連通口２３から室内循環流路１ａの下流側に備えられている送風機Ａ２の送風ボックス６、ファンケーシング７ａ（送風装置７）内を経由してオゾン発生部９ａが配置されている室内循環流路１ａ部分に戻さて脱臭フィルタ２を通過することを繰り返すオゾンの強制循環が成される。つまり、室内循環流路１ａと内部循環流路１ｂとの双方において送風機Ａ２の運転により強制循環されるオゾンによって、脱臭フィルタ２に付着堆積している臭気成分の脱臭・殺菌処理が行われる。
【００６４】
［第３の実施形態の説明］
図８は、第３の実施形態に係る本発明のレンジフードを示す縦断側面図であり、図９は、同レンジフードにおいて、活性酸素による脱臭・殺菌運転状態を示す同縦断面図である。
この第３の実施形態では、前記第１および第２の実施形態詳述の薄型タイプのレンジフードＡ，Ａ−１に代えて、図８に示すように、フード部Ａ１−２を、側面視で略三角形状に形成するとともに、送風機Ａ２−２をフード部Ａ１−２内に設置してなるボルータ型タイプのレンジフードＡ−２の例を示す。
なお、この第３の実施形態において、前記第１および第２の実施形態詳述の構成要素と基本的に同じ構成要素においては同じ符号を付することで重複説明は省略する。
【００６５】
≪レンジフードの説明≫
レンジフードＡ−２は、図８に示すように、側面視で略三角形状を呈するフード部Ａ１−２と、後記するグリスフィルタ２６の下流側におけるフード部Ａ１−２の後側空間に設置される送風機Ａ２−２とを備え、さらに、前記第１実施例詳述の脱臭フィルタ２およびオゾン発生部９ａを内設する縦型筒状のダクトカバーＡ３−２をフード部Ａ１−２の天板ａ１上に立設させた構成を成している。
【００６６】
≪フード部の説明≫
フード部Ａ１−２は、キッチン側に傾けて斜め下向きに開口する側面視で略三角形状に形成され、天板ａ１に連通口２５を備えている。
連通口２５は、フード部Ａ１−２の捕集空間Ｍと前記第２の実施形態詳述の室内循環流路１ａとを、送風機Ａ２−２の後記するファンケーシング７ａを介して連絡するものであり、天板ａ１の後半部側（フード部Ａ１−２のキッチン壁Ｋ１への取付け側）寄りの幅方向略中央部位において開口されている。
【００６７】
また、フード部Ａ１−２は、連絡口２５の下流側に位置する捕集空間Ｍの膨出底部にグリスフィルタ２６を取り外し可能に備えている。
そして、図８に示すように、グリスフィルタ２６を備える捕集空間Ｍの膨出底部における後部下側（送風機Ａ２−２が内設されるフード部Ａ１−２の後側寄り）部分を、カール状に湾曲させた円弧部２７と成して、この円弧部２７からグリスフィルタ２６の殆どを隠すようにその前方に位置させて渦流生成板２８を取り外し可能に備えている。
【００６８】
また、図示を省略しているが、フード部Ａ１−２は、渦流生成板２８に突き当たるように流れる汚染空気Ｇを下向きに案内してエアンダ効果で渦流を発生させるために渦流の勢力を増強する制御流噴出部を、送風機Ａ２−２が設置される後側空間とは区画分離されたその下側に備えている。
これにより、空気汚染Ｇの捕集効率をエアンダ効果（負圧作用を生み出して渦流を発生させる流体現象）によって向上させるようにしている。
【００６９】
≪送風機の説明≫
送風機Ａ２−２は、前記第1の実施形態詳述の送風機Ａ２において送風ボックス６を不要とする送風装置７のみから構成されている。
すなわち、図８に示すように、内部流路１の室内循環流路１ａに連通するようにフード部Ａ１−２の連絡口２５に接続されて吊持状に取り付けられるファンケーシング７ａ内に、ファンモータ７ｂに軸支させて同軸状に送風ファン（遠心ファン、多翼ファン）７ｃを収容させた構成である。
【００７０】
≪ダクトカバーの説明≫
ダクトカバーＡ３−２は、フード部Ａ１−２の天板ａ１に開口されている連絡口２５からキッチン天井Ｋ２の近傍に至る高さにて室内循環流路１ａと内部循環流路１ｂを形成するものである。
このダクトカバーＡ３−２は、前記第１の実施形態詳述のダクトカバーＡ３と基本的に同じ平面視形状に形成されてフード部Ａ１−２の天板ａ１からキッチン天井Ｋ２の近傍に至る程度の高さを有する上面閉鎖で下面が開口された縦型筒状の箱体である。
【００７１】
そして、ダクトカバーＡ３−２は、図８に示すように、連絡口２５よりフード部Ａ１−２の前側（図８紙面左側）寄りのフード部Ａ１−２の天板ａ１上から上面閉鎖側の近傍に至る高で両側幅方向を完全に仕切る形成されている仕切り壁２９を備えている。
これにより、前記第２の実施形態詳述のように、フード部Ａ１−２の捕集空間Ｍ、送風機Ａ２−２のファンケーシング７ａ、そして連絡口２５を介して室内吹出し口８に至るように形成されて脱臭フィルタ２、オゾン発生部９ａが配置される室内循環流路１ａと、この室内循環流路１ａにおける脱臭フィルタ２の上流側と下流側とを連通するように形成される内部循環流路１ｂとの二つの流路が構成されるようにしている。
【００７２】
≪室内循環流路および内部循環流路の説明≫
室内循環流路１ａおよび内部循環流路１ｂは、前記第２の実施形態詳述のように形成されている。
そして、室内循環流路１ａの上流側における連絡口２５の下流側には防火対策手段としての回転式遮断ダンパー３０を備えている。
【００７３】
内部循環流路１ｂは、前記第２の実施形態詳述のように、室内吹出し口８に隣接する下流側に室内吹出し口８の開閉を兼ねる流路開閉装置２２を備えている。
また、内部循環流路１ｂは、フード部Ａ１−２の連絡口２５に隣接する上流側におけるフード部Ａ１−２の天板ａ１に、グリスフィルタ２６の背後空間（室内循環流路１ａの上流側）と連通させる連通口３１を備えるとともにこの連通口３０に、前記第２の実施形態詳述の流路開閉装置２４を備えている。
【００７４】
≪流路開閉装置の説明≫
流路開閉装置２２，２４は、前記第２の実施形態詳述のように、回転式シャッター２２ａ，２４ａと、図示省略の正逆回転可能なシャッターモータ（例えば、ステッピングモータ、ＡＣサーボモータ、ＤＣサーボモータなどの各種のサーボモータ）と備えてそれぞれ構成されている。
これにより、オゾン発生部９ａが運転を開始して発生したオゾンが室内循環流路１ａに送り込まれてレンジフードＡ−１の脱臭・殺菌運転が行われるときは、図９に示すように、室内吹出し口８が閉じられ、連通口３１が開かれて、送風機Ａ２−２の運転によってオゾンは室内循環流路１ａと内部循環流路１ｂにおいて強制循環される。
そして、オゾン発生部９ａの運転が停止したとき、或いは、オゾン発生部９ａの運転停止から一定の時間が経過したときには、図８に示すように、室内吹出し口８が開かれ、連通口３１が閉じられる。つまり、レンジフードＡ−２の通常室内循環運転が行われるときには、室内吹出し口８が開かれ、連通口３１が閉じられて、フード部Ａ１−２の捕集空間Ｍに吸い込み捕集された汚染空気Ｇを、グリスフィルタ４、脱臭フィルタ２を通過させて清浄化されたクリーンな空気として室内吹出し口８から室内（キッチン）に戻す通常室内循環が行われる。
【００７５】
なお、連通口３１を開閉する流路開閉装置２４については、必ず必要とはしない。
つまり、図８に示すように、レンジフードＡ−２を通常室内循環運転させるとき、内部循環流路１ｂの上流側は、流路開閉装置２２によって閉じられている。したがって、脱臭フィルタ２を通過することによって清浄化された汚染空気Ｇが内部循環流路１ｂに流れ込むことなく、室内吹出し口８から室内（キッチン）に戻される。
一方、図９に示すように、レンジフードＡ−２を脱臭・殺菌運転させるときは、流路開閉装置２２によって閉じられている内部循環流路１ｂの下流側を開くことで、オゾン発生部９ａで発生するオゾンを、室内循環流路１ａから内部循環流路１ｂを送り込むことができる。
このようなことから、連通口３１を開閉する流路開閉装置２４については、必ず必要とはしない。それにより、構造の簡素化とコストの削減が図られることとなる。
【００７６】
また、この第３の実施形態に係るレンジフードＡ−２では、前記の流路充満運転モードを選択して脱臭・殺菌運転を行う場合、内部循環流路１ｂの下流側連通路３１を閉じ、そして、二点鎖線で示すように、室内循環流路１ａの上流側連絡口２５をその下流側の回転式遮断ダンパー３０によって閉じることで、室内循環流路１ａと内部循環流路１ｂからなる内部流路１を閉鎖（外部との連通を遮断）することができるようになっている。
【００７７】
［作用説明］
このように構成されている第３の実施形態に係るレンジフードＡ−２によれば、運転操作部５に備えられているモード切替えスイッチによる手動操作によって、流路充満運転モードまたは流路循環運転モードの何れか一方の運転モードで運転が開始すると、図９に示すように、オゾン発生部９ａからオゾンが発生するとともに、室内吹出し口８は流路開閉装置２２により閉じられる。
このとき、流路充満運転モードで運転が開始した場合、室内吹出し口８が閉じられる同時に、連通口３１が流路開閉装置２２により閉じられ（通常室内循環運転の状態）、連絡口２５が回転式遮断ダンパー３０により閉じられる（二点鎖線の状態）。そして、連通口３１オゾン発生部９ａから発生したオゾンは、オゾン発生部９ａが配置されている室内循環流路１ａ部分から脱臭フィルタ２を通過して下流の室内吹出し口８側から内部循環流路１ｂへと送り込まれる。これにより、室内循環流路１ａと内部循環流路１ｂとの双方はオゾンによって満たされる。つまり、停滞状態で満たされたオゾンによって、脱臭フィルタ２に付着堆積している臭気成分の脱臭・殺菌処理が行われる。
【００７８】
一方、流路循環運転モードで運転が開始した場合、室内吹出し口８が流路開閉装置２２により閉じられると同時に、図９に示すように、連通口３１、連絡口２５が開かれる。そして、オゾン発生部９ａから発生したオゾンは、オゾンの発生に連動して運転を開始する送風機Ａ２−２のよって、オゾン発生部９ａが配置されている室内循環流路１ａ部分から脱臭フィルタ２を通過して下流の室内吹出し口８側から内部循環流路１ｂへと送り込まれる。
内部循環流路１ｂに送り込まれてきたオゾンは、下流の連通口３１から室内循環流路１ａの下流側に備えられているグリスフィルタ２６の背後空間、そして送風機Ａ２−２のファンケーシング７ａ（送風装置７）内、連絡口２５を経由してオゾン発生部９ａが配置されている室内循環流路１ａ部分に戻されて脱臭フィルタ２を通過することを繰り返すオゾンの強制循環が成される。つまり、室内循環流路１ａと内部循環流路１ｂとの双方において送風機Ａ２の運転により強制循環されるオゾンによって、脱臭フィルタ２に付着堆積している臭気成分の脱臭・殺菌処理が行われる。
【００７９】
なお、この第３の実施形態に係るレンジフードＡ−２では説明を省略したが、前記第１の実施形態詳述のレンジフードＡと同様に機能するタイマ装置１２と運転制御装置１３とを備えている。そして、濃度検出センサ１５と運転制御装置１６とを備えている。さらに、タイマ装置１８を備えているものである。
【００８０】
なお、本発明の実施形態の具体的な構成は、前記の各実施形態に限られるものではなく、請求項１から請求項７に記載の本発明の要旨を逸脱しない範囲で設計変更などがあっても本発明に含まれるものである。
例えば、活性酸素発生部９にて発生させて内部流路１に送り出される活性酸素として、オゾンの他に、酸化チタンからなる光触媒を用いた光（紫外線）照射によって、光触媒の表面が励起状態になり表面から電子が飛び出すことにより表面付近に酸素分子との反応によって発生するスーパーオキサイドイオン（Ｏ2-）、さらに、光触媒表面下のＯＨ基に反応して発生するＯＨラジカルなどを挙げることができる。
【００８１】
また、室内循環流路１ａと内部循環流路１ｂにおいて活性酸素を強制循環させるための送風機として、捕集空間Ｍ（吸引口）に吸引力を発生させる送風機Ａ２，Ａ２−２とは別途の酸素強制循環用の送風機を用いることができる。
【符号の説明】
【００８２】
Ａ，Ａ−１，Ａ―２  レンジフード
Ａ１，Ａ１−２  フード部
Ａ２，Ａ２−２  送風機
１      内部流路
１ａ    室内循環流路
１ｂ    内部循環流路
２      脱臭フィルタ
４，２６  グリスフィルタ
１０，１１  開閉装置
１２    タイマ装置
１３    運転制御装置
１５    濃度検出センサ
１６    運転制御装置
１８    タイマ装置
２２，２４  流路開閉装置
Ｍ      捕集空間（吸込み口）
Ｇ      汚染空気
【図１】
2012037210.tif 000003
【図２】
2012037210.tif 000004
【図３】
2012037210.tif 000005
【図４】
2012037210.tif 000006
【図５】
2012037210.tif 000007
【図６】
2012037210.tif 000008
【図７】
2012037210.tif 000009
【図８】
2012037210.tif 000010
【図９】
2012037210.tif 000011